(57)【要約】【課題】  鍵の取付け位置をより容易に調整できるとともに、製造コストを抑制することができる鍵盤楽器の鍵ガイド構造を提供する。【解決手段】  下面にピン穴３ｄを有し、押鍵に伴って回動する鍵３ａを案内するための鍵盤楽器の鍵ガイド構造であって、鍵３ａの下方に設けられた基部１１と、アルミニウム合金で構成され、基部１１に立設されるとともに、鍵３ａのピン穴３ｄが係合し、回動する鍵３ａをピン穴３ｄを介して案内するピン１２と、を備えている。【選択図】  図２
2008185916.tif 000002
【特許請求の範囲】
【請求項１】
下面にピン穴を有し、押鍵に伴って回動する鍵を案内するための鍵盤楽器の鍵ガイド構造であって、
前記鍵の下方に設けられた基部と、
アルミニウム合金で構成され、前記基部に立設されるとともに、前記鍵の前記ピン穴が係合し、前記回動する鍵を前記ピン穴を介して案内するピンと、
を備えていることを特徴とする鍵盤楽器の鍵ガイド構造。
【請求項２】
前記ピンにニッケルめっきが施されていることを特徴とする請求項１に記載の鍵盤楽器の鍵ガイド構造。
【請求項３】
前記ピンは、前記基部に植え込まれた断面円形の植込み部と、
当該植込み部の上側に連なり、前記植込み部とほぼ同じ断面積を有し、前記ピン穴に係合する断面楕円形のガイド部と、
を有していることを特徴とする請求項１または２に記載の鍵盤楽器の鍵ガイド構造。
【発明の詳細な説明】
【技術分野】
【０００１】
本発明は、押鍵に伴って回動する鍵を案内するための鍵盤楽器の鍵ガイド構造に関する。
【背景技術】
【０００２】
従来の鍵盤楽器の鍵ガイド構造として、例えば特許文献１に開示されたものが知られている。この鍵ガイド構造は、グランドピアノ用の一般的な構成のものであり、鍵盤の前端部の下方に設けられた筬前と、筬前に鍵ごとに立設されたフロントピンを有している。
【０００３】
通常、フロントピンは、真鍮で構成されており、筬前に植え込まれた植込み部と、その上側のガイド部を有している。ガイド部の断面形状は、回動する鍵を案内するために、前後方向に長い楕円形になっており、植込み部の断面形状は円形で、その断面積がガイド部よりも小さくなっている。
【０００４】
また、鍵は、その中央において回動自在に支持されており、鍵の下面の前端部には、ガイド部の上端部に係合するフロントピン穴が形成されている。鍵は、押鍵に伴い、フロントピン穴を介してフロントピンで案内されることにより、左右方向にぶれることなく回動する。また、フロントピンを左右方向に曲げることによって、離鍵状態における鍵の左右方向の位置が微調整される。前述したように、植込み部の断面積がガイド部よりも小さくなっているのは、この曲げによる微調整を容易にするためである。
【０００５】
しかし、フロントピンは、真鍮で構成されていて、比較的硬いので、植込み部の断面積を小さくしてもやはり曲げにくく、鍵の位置を微調整するのに手間がかかる。また、比較的硬い真鍮を用い、前述したように植込み部とガイド部の間で断面形状および断面積を互いに異なるように形成しなければならないため、フロントピンを切削加工によって製造することが必要であり、製造コストが増大してしまう。
【０００６】
本発明は、上記のような課題を解決するためになされたものであり、鍵の取付け位置をより容易に調整できるとともに、製造コストを抑制することができる鍵盤楽器の鍵ガイド構造を提供することを目的としている。
【０００７】
【特許文献１】特開２００５−５５６５１号公報
【発明の開示】
【課題を解決するための手段】
【０００８】
上記の目的を達成するために、請求項１に係る発明は、下面にピン穴を有し、押鍵に伴って回動する鍵を案内するための鍵盤楽器の鍵ガイド構造であって、鍵の下方に設けられた基部と、アルミニウム合金で構成され、基部に立設されるとともに、鍵のピン穴が係合し、回動する鍵をピン穴を介して案内するピンと、を備えていることを特徴とする。
【０００９】
この鍵盤楽器の鍵ガイド構造によれば、鍵の下方に設けられた基部に、アルミニウム合金製のピンが立設されており、このピンに、鍵の下面に設けられたピン穴が係合している。鍵は、押鍵に伴って回動する際、ピン穴を介してピンにより案内される。
【００１０】
ピンを構成するアルミニウム合金は、従来のフロントピンを構成する真鍮よりも軟らかいので、ピンを容易に曲げることができる。それにより、曲げによる鍵の取付け位置の微調整を容易に行うことができる。また、アルミニウム合金は、比較的軟らかいために加工が容易であるとともに、より安価であるので、ピンの製造コストを抑制することができる。
【００１１】
請求項２に係る発明は、請求項１に記載の鍵盤楽器の鍵ガイド構造において、ピンにニッケルめっきが施されていることを特徴とする。
【００１２】
ニッケルはアルミニウム合金よりも高い硬度を有している。したがって、ピンにニッケルめっきを施すことにより、ピンの表面硬度が高められ、押鍵が繰り返されても損傷し難くなるので、ピンの耐久性を向上させることができる。
【００１３】
請求項３に係る発明は、請求項１または２に記載の鍵盤楽器の鍵ガイド構造において、ピンは、基部に植え込まれた断面円形の植込み部と、植込み部の上側に連なり、植込み部とほぼ同じ断面積を有し、ピン穴に係合する断面楕円形のガイド部と、を有していることを特徴とする。
【００１４】
この構成によれば、基部には、ピンの断面円形の植込み部が植え込まれ、その上側に連なるピンの断面楕円形のガイド部に、鍵のピン穴が係合している。また、植込み部の断面積がガイド部とほぼ同じであり、したがって、従来よりも大きいので、より軟らかいアルミニウム合金を用いても、ピンの所要の植込み強度を確保することができる。
【００１５】
同じ理由から、例えば、アルミニウム合金製の定径の丸棒から成るピン材を用意し、ガイド部に相当する部分をプレス加工することによって、ガイド部を所定の楕円形状に成形することが可能になる。それにより、ピンを容易に製造でき、製造コストをさらに抑制することができる。
【発明を実施するための最良の形態】
【００１６】
以下、図面を参照しながら、本発明の好ましい実施形態について詳細に説明する。図１は、本発明を適用した鍵ガイド構造を含む電子ピアノの鍵盤装置１を示している。以下の説明では、演奏者側から見たときのピアノの手前側を「前」、奥側を「後」として説明する。
【００１７】
同図に示すように、この鍵盤装置１は、シャーシ２と、左右方向に並んだ多数の鍵３ａ（２つのみ図示）を有する鍵盤３と、各鍵３ａの押鍵に伴って回動する多数のハンマー６（１つのみ図示）などを備えている。
【００１８】
シャーシ２は、プレスにより打抜きおよび折曲げ加工した鉄板などを組み立てたものであり、棚板４に水平に固定されている。シャーシ２の前後方向の中央には、鍵盤３の全体にわたって左右方向に延びる筬中１３が設けられており、この筬中１３には、バランスピン１４が鍵３ａごとに立設されている（１つのみ図示）。
【００１９】
鍵盤３は、白鍵と黒鍵から成り、それぞれが断面矩形の鍵本体３ｂと、その上面前部などに接着された鍵カバー５を有している。鍵本体３ｂの中央には、上下方向に貫通するバランスピン孔３ｃが形成されており、鍵３ａは、このバランスピン孔３ｃがバランスピン１４に係合した状態で、筬中１３に回動自在に支持されている。
【００２０】
鍵盤３の後方にはハンマーレール７が設けられている。このハンマーレール７は、アルミニウムの押出成形品で構成され、左右方向に延びており、シャーシ２に連結されるとともに、棚板４に固定されている。また、ハンマーレール７は、上下方向に延びるハンマー支持部７ａと、その上端部の前側に設けられた支点軸部７ｂと、ハンマー支持部７ａの上端から前側に斜め上方に延びるストッパ取付け部７ｃを一体に有している。
【００２１】
ハンマー６は、各鍵３ａの後端部の上方に設けられており、前後方向に延びている。ハンマー６は、その後端部に形成された軸孔６ａがハンマーレール７の支点軸部７ｂに係合することによって、ハンマーレール７に回動自在に支持されている。また、軸孔６ａのすぐ前側にはキャプスタン８が取り付けられており、ハンマー６は、このキャプスタン８を介して、対応する鍵３ａの上面後端部に載置されている。
【００２２】
ストッパ取付け部７ｃの先端部には、ハンマー６の上方への回動を規制するためのストッパ９が設けられている。このストッパ９はすべてのハンマー６にわたるように左右方向に延びている。さらに、ストッパ取付け部７ｃのストッパ９よりも後ろ側には、各鍵３ａの押鍵情報を検出するための鍵スイッチ１０が設けられている。
【００２３】
また、図２に示すように、鍵盤３の前端部の下方には、筬前１１（基部）が設けられている。この筬前１１は、合成樹脂または木質材で構成され、鍵盤３の全体にわたって左右方向に延びており、シャーシ２に固定されている。また、筬前１１は、前後方向に長い長方形状の断面を有しており、その前端部と後端部に多数のフロントピン１２（ピン）（２つのみ図示）が設けられている。具体的には、フロントピン１２は、筬前１１の前端部の白鍵に対応する部位と、後端部の黒鍵に対応する部位に、それぞれ設けられている。鍵ガイド構造は、これらの筬前１１および多数のフロントピン１２によって構成されている。
【００２４】
フロントピン１２は、アルミニウム合金で一体に構成され、上下方向に延びており、図３に示すように、下側のほぼ１／３の部分の植込み部１２ａと、その上側に連なるガイド部１２ｂで構成されている。図４に示すように、植込み部１２ａは断面円形で所定の径を有しており、ガイド部１２ｂは前後方向に長いほぼ楕円形の断面を有している。また、ガイド部１２ｂと植込み部１２ａは、互いにほぼ同じ断面積を有しており、ガイド部１２ｂの前後方向の幅は植込み部１２ａの径よりも大きく、且つ左右方向の厚さは植込み部１２ａの径よりも小さくなっている。このようなガイド部１２ｂは、植込み部１２ａと同じ一定の径を有する断面円形のピン材を準備し、ガイド部１２ｂに相当する部分をプレス加工により潰すことによって形成される。
【００２５】
また、フロントピン１２には、例えば無電解めっき法によってニッケルめっきが施されている。具体的には、このニッケルめっきは、還元剤を含むめっき液にフロントピン１２を浸し、フロントピン１２の表面に金属ニッケル皮膜を化学的に還元析出させることによって、行われる。以上の構成のフロントピン１２は、その植込み部１２ａが筬前１１に形成された植込み孔１１ａに植え込まれた状態で、筬前１１に立設されている。
【００２６】
一方、各鍵３ａの下面の前端部には、下方に開放するフロントピン穴３ｄ（ピン穴）が形成されている。各フロントピン穴３ｄの左右の壁面には、例えばフェルトで構成されたブッシングクロス３ｅ、３ｅ（１つのみ図示）がそれぞれ貼り付けられている。鍵３ａのフロントピン穴３ｄは、ブッシングクロス３ｅ、３ｅを介して、ガイド部１２ｂに係合しており、それにより、鍵３ａは、離鍵状態において左右方向に位置決めされた状態で、シャーシ２に取り付けられている。
【００２７】
この鍵３ａの取付け位置は、フロントピン１２ａを左右方向に曲げることによって、微調整される。また、鍵３ａは、押鍵に伴い、フロントピン穴３ｄを介してフロントピン１２のガイド部１２ｂで案内されることにより、左右方向にぶれることなく回動する。
【００２８】
また、押鍵に伴い、ハンマー６は、鍵３ａの後端部でキャプスタン８を介して突き上げられることにより、上方に回動し、ストッパ９に当接し、それにより、ハンマー６の上方への回動が規制される。また、回動したハンマー６で鍵スイッチ１０が押圧されることによって、鍵３ａの押鍵および押鍵速度が、押鍵情報として検出され、押鍵情報に応じた音が、スピーカ（図示せず）から放音される。
【００２９】
以上の構成の鍵ガイド構造によれば、フロントピン１２を構成するアルミニウム合金は、従来のフロントピンを構成する真鍮よりも軟らかいので、フロントピン１２を容易に曲げることができる。それにより、曲げによる鍵３ａの取付け位置の微調整を容易に行うことができる。また、アルミニウム合金は、比較的軟らかいために加工が容易であるとともに、より安価であるので、フロントピン１２の製造コストを抑制することができる。
【００３０】
また、フロントピン１２の植込み部１２ａの断面積が、ガイド部１２ｂとほぼ同じであり、したがって、従来よりも大きいので、より軟らかいアルミニウム合金を用いても、フロントピン１２の所要の植込み強度を確保することができる。
【００３１】
また、同じ理由から、アルミニウム合金製で植込み部１２ａと同じ一定の径を有する断面円形のピン材を準備し、ガイド部１２ｂに相当する部分をプレス加工により潰すことによって、ガイド部１２ｂを所定の楕円形状に成形することが可能になる。それにより、フロントピン１２を容易に製造でき、製造コストをさらに抑制することができる。
【００３２】
さらに、フロントピン１２にニッケルめっきが施されていることにより、フロントピン１２の表面硬度が高められ、それにより、押鍵が繰り返されても損傷し難くなるので、フロントピン１２の耐久性を向上させることができる。
【００３３】
なお、本発明は、上述した実施形態に限定されることなく、種々の態様で実施することができる。例えば、実施形態では、基部として筬前１１を用い、これにフロントピン１２を立設しているが、これに限定されることなく、例えばシャーシ２に直接、ピンを立設するなど、基部として他の構成部品を用いてもよい。また、実施形態は、本発明を電子ピアノの鍵ガイド構造に適用した例であるが、これに限らず、本発明は、例えばアコースティックピアノなどの他の鍵盤楽器に適用してもよい。その他、細部の構成を、本発明の趣旨の範囲内で適宜、変更することが可能である。
【図面の簡単な説明】
【００３４】
【図１】本発明の一実施形態による鍵ガイド構造を用いた電子ピアノの鍵盤装置を示す側面図である。
【図２】鍵盤装置の前端部を示す部分拡大側面図である。
【図３】フロントピンの（ａ）側面図および（ｂ）正面図である。
【図４】図３の（ａ）線Ａ−Ａに沿う断面図および（ｂ）線Ｂ−Ｂに沿う断面図である。
【符号の説明】
【００３５】
３ａ  鍵
３ｄ  フロントピン穴（ピン穴）
１１    筬前（基部）
１２    フロントピン（ピン）
１２ａ  植込み部
１２ｂ  ガイド部
【図１】
2008185916.tif 000003
【図２】
2008185916.tif 000004
【図３】
2008185916.tif 000005
【図４】
2008185916.tif 000006